【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
通信可能な情報処理装置から、ユーザを識別するユーザ識別情報と、電子機器を識別する機器識別情報と、サービスの利用が可能か否かを示すサービスの種類ごとに設定されている利用可否情報とを受信する受信手段と、
前記受信手段により受信されたユーザ識別情報と、機器識別情報と、利用可否情報とを関連付けて記憶装置に記憶する記憶手段と、
通信可能な電子機器から、ユーザ識別情報と、機器識別情報と、サービスの種類情報とを受け付ける受付手段と、
前記受付手段により受け付けられたサービスの種類情報に係るサービスが利用可能か否かを、前記受付手段により受け付けられたユーザ識別情報と、機器識別情報と関連付けて前記記憶手段により記憶されている利用可否情報に基づいて判定する判定手段と、
前記判定手段により前記サービスの利用が可能と判定された場合、前記サービスの利用に係る画面情報を前記電子機器に送信する送信手段と、
前記受付手段により受け付けられたサービスの種類情報に係るサービスが新規に追加されるサービスである場合、前記受付手段により受け付けられたユーザ識別情報と、機器識別情報と関連付けて前記記憶手段により記憶されている既存の利用可否情報が示す複数のサービスの種類に係る利用可否に基づいて前記新規に追加されるサービスの利用可否を決定する決定手段と、
を有し、
前記記憶手段は、前記決定手段により決定された前記新規に追加されるサービスの利用可否に係る利用可否情報を、前記受付手段により受け付けられたユーザ識別情報と、機器識別情報と関連付けて記憶装置に追加して記憶するサーバ装置。
【請求項２】
前記記憶手段は、ユーザ識別情報と、機器識別情報と関連付けて記憶するサービスの種類ごとに設定されている利用可否情報を、サービスの種類に応じて分類して記憶装置に記憶し、
前記決定手段は、前記新規に追加されるサービスの種類の属する分類と同一の分類に記憶されているサービスの利用可否情報が示すサービスの利用可否に基づいて前記新規に追加されるサービスの利用可否を決定する請求項１記載のサーバ装置。
【請求項３】
前記決定手段は、前記受付手段により前記新規に追加されるサービスの種類情報と共に受け付けられたユーザ情報に基づいて前記新規に追加されるサービスの利用可否を決定する請求項１又は２記載のサーバ装置。
【請求項４】
前記記憶手段は、ユーザ識別情報と、機器識別情報と関連付けて記憶するサービスの種類ごとに設定されている利用可否情報を、サービスの種類に応じて分類して記憶装置に記憶し、
前記決定手段は、前記新規に追加されるサービスの種類の属する分類と同一の分類に記憶されているサービスの利用に関する履歴情報に基づいて前記新規に追加されるサービスの利用可否を決定する請求項１乃至３何れか１項記載のサーバ装置。
【請求項５】
サーバ装置が実行する制御方法であって、
通信可能な情報処理装置から、ユーザを識別するユーザ識別情報と、電子機器を識別する機器識別情報と、サービスの利用が可能か否かを示すサービスの種類ごとに設定されている利用可否情報とを受信する受信ステップと、
前記受信ステップにより受信されたユーザ識別情報と、機器識別情報と、利用可否情報とを関連付けて記憶装置に記憶する記憶ステップと、
通信可能な電子機器から、ユーザ識別情報と、機器識別情報と、サービスの種類情報とを受け付ける受付ステップと、
前記受付ステップにより受け付けられたサービスの種類情報に係るサービスが利用可能か否かを、前記受付ステップにより受け付けられたユーザ識別情報と、機器識別情報と関連付けて前記記憶ステップにより記憶されている利用可否情報に基づいて判定する判定ステップと、
前記判定ステップにより前記サービスの利用が可能と判定された場合、前記サービスの利用に係る画面情報を前記電子機器に送信する送信ステップと、
前記受付ステップにより受け付けられたサービスの種類情報に係るサービスが新規に追加されるサービスである場合、前記受付ステップにより受け付けられたユーザ識別情報と、機器識別情報と関連付けて前記記憶ステップにより記憶されている既存の利用可否情報が示す複数のサービスの種類に係る利用可否に基づいて前記新規に追加されるサービスの利用可否を決定する決定ステップと、
を含み、
前記記憶ステップでは、前記決定ステップにより決定された前記新規に追加されるサービスの利用可否に係る利用可否情報を、前記受付ステップにより受け付けられたユーザ識別情報と、機器識別情報と関連付けて記憶装置に追加して記憶する制御方法。
【請求項６】
コンピュータに、
通信可能な情報処理装置から、ユーザを識別するユーザ識別情報と、電子機器を識別する機器識別情報と、サービスの利用が可能か否かを示すサービスの種類ごとに設定されている利用可否情報とを受信する受信ステップと、
前記受信ステップにより受信されたユーザ識別情報と、機器識別情報と、利用可否情報とを関連付けて記憶装置に記憶する記憶ステップと、
通信可能な電子機器から、ユーザ識別情報と、機器識別情報と、サービスの種類情報とを受け付ける受付ステップと、
前記受付ステップにより受け付けられたサービスの種類情報に係るサービスが利用可能か否かを、前記受付ステップにより受け付けられたユーザ識別情報と、機器識別情報と関連付けて前記記憶ステップにより記憶されている利用可否情報に基づいて判定する判定ステップと、
前記判定ステップにより前記サービスの利用が可能と判定された場合、前記サービスの利用に係る画面情報を前記電子機器に送信する送信ステップと、
前記受付ステップにより受け付けられたサービスの種類情報に係るサービスが新規に追加されるサービスである場合、前記受付ステップにより受け付けられたユーザ識別情報と、機器識別情報と関連付けて前記記憶ステップにより記憶されている既存の利用可否情報が示す複数のサービスの種類に係る利用可否に基づいて前記新規に追加されるサービスの利用可否を決定する決定ステップと、
を実行させ、
前記記憶ステップでは、前記決定ステップにより決定された前記新規に追加されるサービスの利用可否に係る利用可否情報を、前記受付ステップにより受け付けられたユーザ識別情報と、機器識別情報と関連付けて記憶装置に追加して記憶するプログラム。
【手続補正２】
【補正対象書類名】明細書
【補正対象項目名】０００６
【補正方法】変更
【補正の内容】
【０００６】
そこで、本発明に係るサーバ装置は、通信可能な情報処理装置から、ユーザを識別するユーザ識別情報と、電子機器を識別する機器識別情報と、サービスの利用が可能か否かを示すサービスの種類ごとに設定されている利用可否情報とを受信する受信手段と、前記受信手段により受信されたユーザ識別情報と、機器識別情報と、利用可否情報とを関連付けて記憶装置に記憶する記憶手段と、通信可能な電子機器から、ユーザ識別情報と、機器識別情報と、サービスの種類情報とを受け付ける受付手段と、前記受付手段により受け付けられたサービスの種類情報に係るサービスが利用可能か否かを、前記受付手段により受け付けられたユーザ識別情報と、機器識別情報と関連付けて前記記憶手段により記憶されている利用可否情報に基づいて判定する判定手段と、前記判定手段により前記サービスの利用が可能と判定された場合、前記サービスの利用に係る画面情報を前記電子機器に送信する送信手段と、前記受付手段により受け付けられたサービスの種類情報に係るサービスが新規に追加されるサービスである場合、前記受付手段により受け付けられたユーザ識別情報と、機器識別情報と関連付けて前記記憶手段により記憶されている既存の利用可否情報が示す複数のサービスの種類に係る利用可否に基づいて前記新規に追加されるサービスの利用可否を決定する決定手段と、を有し、前記記憶手段は、前記決定手段により決定された前記新規に追加されるサービスの利用可否に係る利用可否情報を、前記受付手段により受け付けられたユーザ識別情報と、機器識別情報と関連付けて記憶装置に追加して記憶することを特徴とする。